(57)【特許請求の範囲】
【請求項１】
搬送経路に沿って原稿を搬送可能な搬送部と、
該搬送部により搬送される前記原稿の画像を読み取る読取部と、
該読取部が読み取った前記原稿のデータを出力する出力制御部と、
前記搬送部により搬送される前記原稿の重送を検出する重送検出部と、
該重送検出部による重送検出の無効指示を出す指示部と
を備え、
前記出力制御部は、複数の前記原稿を順に搬送して画像を読み取る読取動作を行うジョブが前記重送検出部の重送検出によって中断された後、前記指示部の指示に基づいて重送検出を無効にした無効モードで再開されたとき、前記中断される前の読取動作で読み取った第１データと、前記再開された後の読取動作で読み取った第２データとを、１つのファイルに生成されうる連続したデータとして出力することを特徴とする画像読取装置。
【請求項２】
前記搬送部により搬送される前記原稿を検出する搬送検出部をさらに備え、
前記無効モードには、前記原稿の後端が前記重送検出部を通過するまで前記重送検出部による重送検出を無効にする原稿単位無効モードが含まれ、
前記指示部により前記原稿単位無効モードが指示された場合には、前記搬送検出部の検出信号に基づいて前記原稿の後端が前記重送検出部を通過したことを検出すると、前記重送検出部による重送検出を有効にすることを特徴とする請求項１に記載の画像読取装置。
【請求項３】
前記無効モードには、前記ジョブが終了するまで前記重送検出部による重送検出を無効にするジョブ単位無効モードが含まれ、
前記指示部により前記ジョブ単位無効モードが指示された場合には、前記ジョブが終了すると前記重送検出部による重送検出を有効にすることを特徴とする請求項１又は請求項２に記載の画像読取装置。
【請求項４】
読み取り前の前記原稿をセットするセット部と、
該セット部にセットされた前記原稿を検出するセット検出部と、
前記セット部にセットされて前記搬送部により搬送される前記原稿を検出する搬送検出部と
をさらに備え、
前記ジョブが中断されてから再開されるまでの間は、
前記セット検出部と前記搬送検出部の検出結果に関わらず前記指示部の指示に基づいて設定された前記無効モードが維持されることを特徴とする請求項１〜請求項３のうち何れか一項に記載の画像読取装置。
【請求項５】
前記無効モードには、電力の供給が遮断されるまで前記重送検出部による重送検出の無効を維持する無効維持モードが含まれることを特徴とする請求項１〜請求項４のうち何れか一項に記載の画像読取装置。
【請求項６】
前記指示部は、前記ジョブの開始指示を出し、
中断された前記ジョブは、前記指示部の開始指示により再開されることを特徴とする請求項１〜請求項５のうち何れか一項に記載の画像読取装置。
【発明の詳細な説明】
【技術分野】
【０００１】
本発明は、原稿の画像を読み取るスキャナー等の画像読取装置に関する。
【背景技術】
【０００２】
従来から、原稿台（セット部）に載置された複数枚の原稿を１枚ずつ分離して搬送すると共に、搬送される原稿の画像を読み取る画像読取装置が知られている（例えば特許文献１）。
【０００３】
この画像読取装置は、複数枚の原稿が重なって搬送される状態（以下、重送ともいう。）を検出する重送検出センサ（重送検出部）を備えている。また、画像読取装置は、原稿台の原稿を分離して搬送する分離モードと、手差し給送用の非分離モードとを有し、非分離モードが選択された場合には、重送検出センサによる重送検出状態を無効とする制御を行っていた。
【０００４】
すなわち、画像読取装置では、封筒や半折原稿など１枚ずつ搬送されていても重送だと誤検出されてしまうような原稿は、非分離モードを利用して１枚ずつ手で差し入れさせていた。
【先行技術文献】
【特許文献】
【０００５】
【特許文献１】特開２０１２−４１１１８号公報
【発明の概要】
【発明が解決しようとする課題】
【０００６】
ところで、画像読取装置は、封筒などの１枚でも重送だと誤検出されやすい原稿と、用紙などの誤検出されにくい原稿とを混在させた複数枚の原稿を読み取る場合もある。
しかし、非分離モードで原稿を１枚ずつ差し込んで読み取らせるのは手間がかかる。一方、分離モードで原稿を読み取らせた場合には、重送検出センサの誤検出により読み取りが停止されてしまう。そして、誤検出された原稿を非分離モードで読み取らせたとしても、誤検出の前と後で別々にファイルが生成されてしまっていた。
【０００７】
本発明は、こうした実情に鑑みてなされたものであり、その目的は、読み取り対象の原稿の中に重送だと誤検出されやすい原稿が含まれる場合でも、読み取ったデータが複数のファイルに分離されることを抑制できる画像読取装置を提供することにある。
【課題を解決するための手段】
【０００８】
以下、上記課題を解決するための手段及びその作用効果について記載する。
上記課題を解決する画像読取装置は、搬送経路に沿って原稿を搬送可能な搬送部と、該搬送部により搬送される前記原稿の画像を読み取る読取部と、該読取部が読み取った前記原稿のデータを出力する出力制御部と、前記搬送部により搬送される前記原稿の重送を検出する重送検出部と、該重送検出部による重送検出の無効指示を出す指示部とを備え、前記出力制御部は、複数の前記原稿を順に搬送して画像を読み取る読取動作を行うジョブが前記重送検出部の重送検出によって中断された後、前記指示部の指示に基づいて重送検出を無効にした無効モードで再開されたとき、前記中断される前の読取動作で読み取った第１データと、前記再開された後の読取動作で読み取った第２データとを、１つのファイルに生成されうる連続したデータとして出力する。
【０００９】
この構成によれば、出力制御部は、第１データと第２データを連続したデータとして出力する。そのため、重送の検出によってジョブが途中で中断された場合でも、中断される前に読み取った第１データと再開された後に読み取った第２データを１つのファイルにまとめることができる。したがって、読み取り対象の原稿の中に重送だと誤検出されやすい原稿が含まれる場合でも、読み取ったデータが複数のファイルに分離されることを抑制できる。
【００１０】
上記画像読取装置は、前記搬送部により搬送される前記原稿を検出する搬送検出部をさらに備え、前記無効モードには、前記原稿の後端が前記重送検出部を通過するまで前記重送検出部による重送検出を無効にする原稿単位無効モードが含まれ、前記指示部により前記原稿単位無効モードが指示された場合には、前記搬送検出部の検出信号に基づいて前記原稿の後端が前記重送検出部を通過したことを検出すると、前記重送検出部による重送検出を有効にするのが好ましい。
【００１１】
この構成によれば、例えば重送だと誤検出されやすい原稿の読み取りを行う場合、原稿単位無効モードを指示することにより、この原稿が重送検出部を通過するまでの間、重送検出部による重送検出を無効にすることができる。そして、原稿が通過した後は重送検出を有効にできる。
【００１２】
上記画像読取装置において、前記無効モードには、前記ジョブが終了するまで前記重送検出部による重送検出を無効にするジョブ単位無効モードが含まれ、前記指示部により前記ジョブ単位無効モードが指示された場合には、前記ジョブが終了すると前記重送検出部による重送検出を有効にするのが好ましい。
【００１３】
この構成によれば、ジョブ単位無効モードでは、ジョブが終了するまで重送検出を無効にする。そのため、例えば１つのジョブで読み取る原稿の中に、重送だと誤検出されやすい原稿が複数含まれる場合でも、誤検出に伴うジョブの中断を低減することができる。そして、ジョブが終了した後は重送検出を有効にできる。
【００１４】
上記画像読取装置は、読み取り前の前記原稿をセットするセット部と、該セット部にセットされた前記原稿を検出するセット検出部と、前記セット部にセットされて前記搬送部により搬送される前記原稿を検出する搬送検出部とをさらに備え、前記ジョブが中断されてから再開されるまでの間は、前記セット検出部と前記搬送検出部の検出結果に関わらず前記指示部の指示に基づいて設定された前記無効モードが維持されるのが好ましい。
【００１５】
この構成によれば、ジョブが中断されてから再開するまでの間に原稿をセットし直す場合には、セット検出部と搬送検出部とが原稿のセットを検出する。しかし、ジョブが中断されてから再開されるまでの間は、セット検出部と搬送検出部の検出結果に関わらず無効モードが維持されるため、原稿をセットし直した場合でも、無効モードでジョブを再開できる。
【００１６】
上記画像読取装置において、前記無効モードには、電力の供給が遮断されるまで前記重送検出部による重送検出の無効を維持する無効維持モードが含まれるのが好ましい。
この構成によれば、無効維持モードでは、指示部が無効指示を出すと、電源が遮断されるまで重送検出を無効にする。そのため、例えば重送だと誤検出されやすい原稿を含む複数のジョブを行う場合でも、誤検出に伴うジョブの中断を低減できる。
【００１７】
上記画像読取装置において、前記指示部は、前記ジョブの開始指示を出し、中断された前記ジョブは、前記指示部の開始指示により再開されるのが好ましい。
この構成によれば、ジョブの開始を指示部に指示させることにより、中断されたジョブを任意のタイミングで再開させることができる。
【図面の簡単な説明】
【００１８】
【図１】一実施形態における画像読取装置を示す斜視図。
【図２】画像読取装置を示す模式側断面図。
【図３】本体部の搬送面部を示す模式平面図。
【図４】重送した原稿を重送センサーが検出した際の様子を示す模式側面図。
【図５】画像読取装置の電気的構成及び機能的構成を示すブロック図。
【図６】重送検出無効処理を示すフローチャート。
【発明を実施するための形態】
【００１９】
以下、画像読取装置の一実施形態を、図面を参照して説明する。
図１に示すように、本実施形態の画像読取装置１１は、側面視が略台形形状を有する装置本体１２（以下、単に「本体１２」という。）と、画像読取対象である読み取り前の原稿Ｄ（図２参照）が載置（セット）される載置面１３Ａを有するセット部の一例である原稿サポート１３とを備える。原稿サポート１３に載置された原稿Ｄは、本体１２の上部に開口する給送口１２Ａへ１枚ずつ給送される。給送された原稿Ｄは、本体１２内を所定の搬送経路３２（図２参照）に沿って搬送され、その搬送途中の読取位置で画像が読み取られた後、本体１２の前側下部に開口する排出口１２Ｂから排出され、例えば排出トレイ１８Ａ（図２参照）に積載される。
【００２０】
原稿サポート１３は、本体１２に対して基端部（下端部）が回動可能に連結された第１サポート部１４と、第１サポート部１４の先端部に対して基端部が回動可能に連結された第２サポート部１５とを備える。第２サポート部１５の先端部には、スライド式の補助サポート部１６が出退可能に設けられている。原稿サポート１３は、本体１２の後側上方へ斜めに延出し、原稿Ｄを載置可能なサポートとして機能する図１に示す開位置（使用位置）と、ユーザーによって開位置から図１の紙面手前方向へ回動されることにより、本体１２の上面部及び前面部１２Ｃを覆う閉位置（収納位置）とに配置可能となっている。
【００２１】
原稿サポート１３の載置面１３Ａには、原稿Ｄが搬送される搬送方向Ｙと交差（特に直交）する幅方向Ｘにスライド可能な一対のエッジガイド１７が設けられている。載置面１３Ａ上に積載された原稿Ｄは、一対のエッジガイド１７に挟まれることで、給送口１２Ａに対して幅方向Ｘに位置決めされる。なお、幅方向Ｘが、画像読取装置１１が原稿Ｄの画像を読み取るときの主走査方向、搬送方向Ｙが副走査方向となる。
【００２２】
図１及び図２に示すように、本体１２は、本体部１８と、本体部１８の前端部を中心に回動可能に連結されたカバー部１９とを備える。カバー部１９が図１及び図２に示す閉位置に配置された状態では、図２に示すように、本体部１８とカバー部１９との間に給送口１２Ａから排出口１２Ｂに至る搬送経路３２が形成される。ユーザーが図１に示す操作部１９Ａを操作してカバー部１９の係止を解除し、カバー部１９を図１に示す閉位置から図１の紙面手前方向へ開位置まで回動させると、搬送経路３２の一方の面部を形成する搬送面部３９（図３参照）が露出する。このカバー部１９を開けて搬送面部３９を露出状態とすることで、原稿Ｄの詰まり（ジャム）の除去や給送・搬送用のローラー３３Ａ〜３６Ａ等（図２参照）のメンテナンス等が行われる。
【００２３】
図１に示すように、本体１２（カバー部１９）の前面部１２Ｃには、ジョブの開始指示や重送検出の無効指示を出す指示部２０が設けられている。なお、重送とは、原稿サポート１３に載置された原稿Ｄが複数枚重なって搬送される状態をいう。そして、指示部２０は、画像読取装置１１に指示を与えるための複数のスイッチ２１〜２６を備える。詳しくは、指示部２０は、電源スイッチ２１、スタートスイッチ２２、ストップスイッチ２３、読取モード選択スイッチ２４、重送検出無効スイッチ２５（重送検出スキップスイッチ）及び無線通信用スイッチ２６などの各種のスイッチからなる。
【００２４】
電源スイッチ２１は、ユーザーに操作されることにより画像読取装置１１への電力の供給と遮断の切り替え指示を出すスイッチである。スタートスイッチ２２は、原稿サポート１３に載置された少なくとも１枚（例えば複数）の原稿Ｄを順に搬送して画像を読み取る読取動作を行うジョブの開始指示を出すスイッチである。ストップスイッチ２３は、スタートスイッチ２２の操作によって開始されたジョブを中断もしくは中止させるストップ指示を出すスイッチである。読取モード選択スイッチ２４は、カラーモード（例えばモノクロ、カラー）や画質など、読取動作で読み取る画像の読取モードを指示するスイッチである。
【００２５】
重送検出無効スイッチ２５は、重送の有無を検出する重送検出を無効にする無効モードを設定する際にユーザーにより操作され、重送検出の無効指示を出すスイッチである。無線通信用スイッチ２６は、無線通信のオン／オフの切り替え指示を出すスイッチである。
【００２６】
指示部２０に隣接する位置には、例えばＬＥＤ等により点灯と点滅の少なくとも一方と消灯とが可能、あるいは点灯時の点灯色の変更が可能な表示灯からなる報知部２７が設けられている。報知部２７は、例えば電源のオン／オフ、現在選択中のモード、重送検出の有効／無効などを表示灯の点灯・消灯あるいは点灯色の変更によってユーザーに報知する。
【００２７】
図２に示すように、画像読取装置１１の本体１２内には、画像読取処理（スキャン処理）を行う画像読取処理機構３０が設けられている。画像読取処理機構３０は、原稿Ｄを搬送する搬送部３１を備える。搬送部３１は、原稿サポート１３に積載された複数枚の原稿Ｄを、１枚ずつ給送口１２Ａから板状の給送ガイド３２Ａに沿って本体１２内へ案内しつつ給送し、給送した原稿Ｄを搬送経路３２に沿って一定の搬送速度で搬送する。
【００２８】
搬送部３１は、本体１２内の搬送経路３２の上流端位置に配置された一対の給送ローラー対３３と、給送ローラー対３３よりも搬送方向下流側に配置された一対の給送ローラー対３４と、を備える。さらに、搬送部３１は、搬送方向Ｙに原稿Ｄの読取位置を挟んで上流側に配置された一対の搬送ローラー対３５と、下流側に配置された一対の搬送ローラー対３６とを備える。
【００２９】
給送ローラー対３３，３４は、駆動ローラー３３Ａ，３４Ａと従動ローラー３３Ｂ，３４Ｂとにより構成される。また、搬送ローラー対３５，３６は、駆動ローラー３５Ａ，３６Ａと従動ローラー３５Ｂ，３６Ｂとにより構成される。各従動ローラー３３Ｂ〜３６Ｂは、それぞれが対をなす駆動ローラー３３Ａ〜３６Ａの回転により連れ回りする。
【００３０】
複数のローラー対３３〜３６を構成する各駆動ローラー３３Ａ〜３６Ａは、それらの動力源である搬送モーター３７の動力により回転駆動する。また、給送ローラー対３４を構成する従動ローラー３４Ｂはリタードローラーとなっており、その外周面の原稿Ｄに対する摩擦係数が、駆動ローラー３４Ａの外周面の原稿Ｄに対する摩擦係数よりも大きくなっている。このため、給送ローラー対３４は、原稿Ｄを１枚ずつ分離して搬送方向Ｙの下流側へ送り出す分離機構３８として機能する。よって、給送ローラー対３３の回転により原稿サポート１３に積載された複数枚の原稿Ｄは、例えば最下位のものから順番に１枚ずつ給送口１２Ａから本体１２内へ給送され、さらに給送ローラー対３４の回転により１枚ずつ分離されて搬送方向Ｙの下流側へ給送される。
【００３１】
図２に示すように、本体１２内に給送ローラー対３３，３４及び各搬送ローラー対３５，３６により形成された搬送経路３２の途中の読取位置には、搬送部３１により搬送される原稿Ｄの画像を読み取る読取部４０が設けられている。読取部４０は、搬送経路３２を挟む両側に設けられた第１読取部４０Ａと第２読取部４０Ｂとからなり、互いに対向しない程度に搬送方向Ｙに少しずれた位置に配置されている。一対の読取部４０は、搬送中の原稿Ｄに光を照射可能な光源４１と、主走査方向（幅方向Ｘ）に延びるイメージセンサー４２とにより構成される。原稿Ｄの片面（表面）を読み取る通常読取モードのときは、第１読取部４０Ａが読取動作を行い、原稿Ｄの両面（表裏面）を読み取る両面読取モードのときは、第１読取部４０Ａと第２読取部４０Ｂとが共に読取動作を行う。
【００３２】
光源４１は、例えばＬＥＤや蛍光ランプなどにより構成される。イメージセンサー４２は、光源４１から射出された光が原稿Ｄ等で反射した反射光を受光し、受光した光を電気信号に変換して受光量に応じた値の画素信号を出力する。イメージセンサー４２は、例えばリニアイメージセンサーである。画像読取装置１１は、カラースキャンとモノクロスキャン（グレースケールスキャン）とが可能である。カラースキャン方式には、イメージセンサーがモノクロで、ＲＧＢ各色の光源を時系列で順番に発光させてイメージセンサーからＲＧＢ各色の画素信号を順番に取得する方式と、イメージセンサーがカラーフィルターで覆われたＲＧＢ各色の光電変換素子を備え、白色光源を発光させて各光電変換素子からＲＧＢの各画素信号を取得する方式とがある。カラースキャン方式はどちらの方式でもよい。なお、以下では、光源４１とイメージセンサー４２を、第１読取部４０Ａ側のものを指して、第１光源４１Ａ及び第１イメージセンサー４２Ａと記し、第２読取部４０Ｂ側のものを指して、第２光源４１Ｂ及び第２イメージセンサー４２Ｂと記す場合がある。
【００３３】
さらに、イメージセンサー４２と搬送経路３２を挟んで対向する位置には、色基準板４３が配置されている。色基準板４３はシェーディング補正用の白基準値を得るためのもので、白色を呈する白基準板又はグレー（灰色）を呈するグレー基準板が用いられる。グレー基準板は、色基準板４３を原稿の背景（グレー背景）として読み取った読取データから、原稿と背景との色又は輝度値の違いを基に、原稿Ｄの位置及び領域を検出するために用いられる。なお、原稿検出専用のセンサーで原稿の検出を行う構成とした場合は、色基準板４３を白基準板にすることが好ましい。
【００３４】
イメージセンサー４２は、複数の光電変換素子を主走査方向（幅方向Ｘ）に沿って一列に配置した、例えばコンタクト型イメージセンサーである。さらにイメージセンサー４２は、具体的にはＣＭＯＳ（Complementary Metal Oxide Semiconductor）イメージセンサーである。イメージセンサー４２は、各光電変換素子が受光した光を光電変換して受光量に応じた値の画素信号を出力する。
【００３５】
搬送モーター３７、読取部４０（４０Ａ，４０Ｂ）を構成する光源４１及びイメージセンサー４２は、本体１２内に設けられたコントローラー５０により制御される。また、コントローラー５０は、ユーザーが操作する指示部２０からの操作信号により与えられた指示に基づき画像読取装置１１を制御する。
【００３６】
次に図３を参照して、原稿Ｄの搬送経路３２のうちの下側の面部を形成する搬送面部３９について説明する。図３に示すように、本体部１８の上面によって形成される搬送面部３９は、本体部１８の上面を覆う搬送板１８Ｂと、その上面から突出すると共に搬送方向Ｙに沿って互いに平行に延びる複数本のリブ１８Ｃとを有する。搬送面部３９における幅方向Ｘの略中央部には、搬送方向Ｙの上流側から順に、給送ローラー対３３，３４を構成する各駆動ローラー３３Ａ，３４Ａ、搬送ローラー対３５，３６を構成する各駆動ローラー３５Ａ，３６Ａが、それぞれ幅方向Ｘに少しの間隔を隔てて一対ずつ配置されている。給送ローラー対３３を構成する一対の駆動ローラー３３Ａの間には、原稿サポート１３にセットされた原稿Ｄを検出するセット検出部の一例であるセットセンサー４５が配置されている。セットセンサー４５は、例えばレバーを有する接触式センサーであり、レバーが押されることで、原稿サポート１３にセットされた原稿Ｄの有無を検出する。
【００３７】
図３，図４に示すように、さらに搬送方向Ｙにおいて給送ローラー対３４と搬送ローラー対３５との間の位置には、搬送部３１により搬送される原稿Ｄの重送を検出する重送検出部の一例である重送センサー４６が配置されている。重送センサー４６は、例えば超音波式センサーであり、超音波を発信可能な発信器４６Ａ（図４参照）と、発信器４６Ａに対して搬送経路３２を挟んで対向する位置に配置され、発信器４６Ａからの超音波を受信可能な受信器４６Ｂとを備える。重送センサー４６は、発信器４６Ａからの超音波が、重送した２枚の原稿Ｄの隙間で減衰する原理を利用して、原稿Ｄの重送を検出する。２枚以上の原稿Ｄを通過したときの超音波の減衰度合は、１枚の原稿Ｄを通過したときの超音波の減衰度合よりも大きいので、その大きな減衰度合によって検出値が所定の閾値を超えると（下回ると）、重送と検出される。一方、１枚の原稿Ｄを通過したときの超音波の減衰度合は小さいので、検出値が所定の閾値を超えることがなく、重送とは検出されない。
【００３８】
そのため、例えば封筒や折った紙のように重なり部分を有する原稿Ｄの場合、重なり部分の隙間で超音波が減衰する減衰度合が大きいため、重送センサー４６は搬送されている原稿Ｄが１枚でも重送されていると誤検出する場合がある。そのため、ユーザーは誤検出されやすい原稿Ｄを読み取るときは、重送検出無効スイッチ２５を操作して重送センサー４６による重送検出の無効指示を出すことにより、重送検出を無効にした無効モードを設定することができる。
【００３９】
また、搬送ローラー対３５を構成する一対の駆動ローラー３５Ａの間には、原稿サポート１３にセットされて搬送部３１により搬送される原稿Ｄを検出する搬送検出部の一例である搬送センサー４７が配置されている。搬送センサー４７は、例えばレバー（接触子）を有する接触式センサーであり、原稿Ｄの先端がレバーを押して非検知状態（オフ）から検知状態（オン）に切り換わることをもって先端を検知し、その後端がレバーを通り過ぎてレバーが押されなくなって、検知状態から非検知状態に切り換わることをもって後端を検知する。そして、搬送センサー４７の検知結果は、その搬送方向Ｙの下流側に配置された読取部４０（４０Ａ，４０Ｂ）の読取動作の開始と終了のタイミングの制御に用いられる。
【００４０】
次に図５を参照して、画像読取装置１１の電気的構成について説明する。図５に示すように、コントローラー５０は、マイクロプロセッサー等からなるコンピューター５１と、記憶部５２とを備える。さらに、コントローラー５０は、ホスト装置５３から各種のデータや信号を入力する入力インターフェイスからなる入力部５５と、画像読取装置１１が読み取った読取データをホスト装置５３に出力する出力インターフェイスからなる出力部５６とを備える。
【００４１】
また、コントローラー５０は、読取部４０（イメージセンサー４２Ａ，４２Ｂ）に対して画素信号の読出動作を含む各種の動作タイミングを規定するパルス信号を出力するタイミングジェネレーター５７（以下「ＴＧ５７」とも記す。）を備える。そして、コントローラー５０は、イメージセンサー４２Ａ，４２Ｂから入力した画素信号をアナログ／デジタル変換（Ａ／Ｄ変換）するアナログフロントエンド５８（以下「ＡＦＥ５８」とも記す。）を備える。なお、記憶部５２は、例えば不揮発性メモリー及びＲＡＭからなる。
【００４２】
画像読取装置１１は、通信ケーブルを通じてホスト装置５３と接続されている。ホスト装置５３は、例えばパーソナルコンピューター（以下「ＰＣ」ともいう。）により構成されている。なお、ホスト装置５３は、ＰＣに限らず、携帯情報端末（ＰＤＡ（Personal Digital Assistants））、タブレットＰＣ又はスマートフォン等のスマートデバイスなどでもよい。そして、ホスト装置５３は、画像読取装置１１から出力されたデータに基づいてファイルを生成する生成部６０を備える。
【００４３】
図５に示す記憶部５２には、図６にフローチャートで示された重送検出無効処理用プログラムを含むプログラムＰＲ等が記憶されている。図５に示すコンピューター５１は、プログラムＰＲを実行することで同図に示す各種の機能部として機能する。すなわち、図５に示すように、コンピューター５１は、機能部として、主制御部６２、搬送モーター３７を制御する搬送制御部６３、モード制御部６４、読取部４０を制御する読取制御部６５及び読取部４０が読み取った原稿Ｄのデータの出力を制御する出力制御部６６を備える。
【００４４】
搬送制御部６３は、主制御部６２の指示に従って搬送モーター３７を駆動し、複数のローラー対３３〜３６を回転させることで、原稿サポート１３にセットされた原稿Ｄを１枚ずつ本体１２内へ給送する。さらに搬送制御部６３は、給送された原稿Ｄを搬送経路３２に沿って読取条件に応じた一定の搬送速度で搬送させる。
【００４５】
モード制御部６４は、重送検出無効スイッチ２５からの指示に基づいて重送センサー４６による重送検出を有効にする有効モードと、重送検出を無効にする無効モードとを切り替える制御をする。なお、本実施形態の無効モードには、無効を維持する期間がそれぞれ異なる原稿単位無効モード、ジョブ単位無効モード、無効維持モードが含まれる。そして、これらの無効モードは、例えば重送検出無効スイッチ２５の操作の仕方に応じて設定される。
【００４６】
なお、原稿単位無効モードは、原稿Ｄの後端が重送センサー４６を通過するまで重送センサー４６による重送検出を無効にするモードである。そして、原稿単位無効モードは、ユーザーによる第１操作（例えば重送無効スイッチ２５を１回押し）に基づいて第１指示が出された場合に設定される。
【００４７】
ジョブ単位無効モードは、ジョブが終了するまで重送センサー４６による重送検出を無効にするモードである。そして、ジョブ単位無効モードは、ユーザーによる第２操作（例えば重送無効スイッチ２５を２回押し）に基づいて第２指示が出された場合に設定される。
【００４８】
さらに、無効維持モードは、電力の供給が遮断されるまで重送センサー４６による重送検出の無効を維持するモードである。そして、無効維持モードは、ユーザーによる第３操作（例えば重送無効スイッチ２５を長押し）に基づいて第３指示が出された場合に設定される。
【００４９】
また、第１操作〜第３操作が行われない場合や、リセット操作（例えば読取動作の中断中にストップスイッチ２３を１回押し）された場合には、有効モードが設定される。
読取制御部６５は、原稿Ｄの搬送中に読取部４０を制御し、原稿Ｄの画像を読み取らせる。詳しくは、読取制御部６５は、ＴＧ６４を介してイメージセンサー４２に対して画素信号の読出動作の動作タイミング等を制御するパルス信号を出力して読取動作を制御する。そして、読取部４０から出力されたアナログの画素信号は、ＡＦＥ５８を介してデジタルの画素信号に変換され、読取データとして出力制御部６６に入力される。
【００５０】
出力制御部６６は、入力されたデジタルの画素信号からなる読取データに対して、シェーディング補正及びガンマ補正等の公知の画像補正処理を施して、原稿Ｄの画像データを生成する。そして、生成した画像データを出力部５６を介してホスト装置５３に出力する。
【００５１】
以下、図６に示すフローチャートを参照して、コンピューター５１が実行する重送検出無効処理について説明する。なお、コンピューター５１は、原稿サポート１３に原稿Ｄがセットされた状態でスタートスイッチ２２が操作されると、原稿Ｄの読取動作を行うジョブを開始して重送検出無効処理を実行する。なお、本実施形態では、原稿サポート１３にセットされた原稿Ｄを、１枚目の原稿から順に１枚ずつ搬送して読取部４０に画像を読み取らせ、最後の原稿Ｄの画像を読み取るまでを１つのジョブとする。
【００５２】
まずステップＳ１１において、コンピューター５１は、原稿Ｄのページに相当するＮの値を１で初期化する。そして、ステップＳ１２において、コンピューター５１は、Ｎ枚目の原稿Ｄの読取動作を行う。すなわち、搬送制御部６３は、搬送モーター３７を駆動して、原稿サポート１３にセットされた原稿Ｄを給送及び搬送し、原稿Ｄが読取位置を通過するタイミングで読取制御部６５が読取部４０に原稿Ｄの画像を読み取らせる。
【００５３】
ステップＳ１３において、コンピューター５１は、重送検出を有効にした有効モードが設定されているか否かを判断する。そして、有効モードが設定されていれば（ステップＳ１３：ＹＥＳ）、コンピューター５１は、ステップＳ１４において、重送されているか否かを判断する。すなわち、原稿Ｄが例えば封筒の場合、１枚ずつ搬送されていても重送センサー４６がオンとなり、重送していると誤検出することがある（ステップＳ１４：ＹＥＳ）。
【００５４】
ステップＳ１５において、コンピューター５１は、読取動作を中断する。すなわち、搬送制御部６３は、搬送モーター３７の駆動を停止させ、読取制御部６５は、読取部４０による原稿Ｄの画像の読み取りを停止させる。さらに、コンピューター５１は、ステップＳ１６において、中断フラグをオンにし、ステップＳ１７において、第１データを出力する。すなわち、出力制御部６６は、ジョブを中断する前に読み取った（Ｎ−１枚目までの）原稿Ｄの画像データを第１データとして出力する。
【００５５】
ステップＳ１８において、コンピューター５１は、重送の検出を報知し、ステップＳ１９において、重送検出を無効にする無効モードが設定されたか否かを判断する。なお、無効モードの設定が行われない間は（ステップＳ１９：ＮＯ）、無効モードの設定が行われるまで待機する。そして、ユーザーによって重送検出無効スイッチ２５が操作されると、モード制御部６４は、指示に応じた無効モードを設定する。そして、無効モードが設定されると（ステップＳ１９：ＹＥＳ）、ステップＳ２０において、コンピューター５１は、再スタートが指示されたか否かを判断する。すなわち、ユーザーによってスタートスイッチ２２が押されていない間は（ステップＳ２０：ＮＯ）、スタートスイッチ２２が押されるまで待機する。そしてスタートスイッチ２２が押されると、コンピューター５１は、処理をステップＳ１２に移行し、中断されていたＮ枚目の原稿Ｄの読取動作を再開する。
【００５６】
また、ステップＳ１３において、無効モードが設定されている場合には（ステップＳ１３：ＮＯ）、コンピューター５１は、その処理をステップＳ２１に移行する。さらに、ステップＳ１４において、重送センサー４６が重送を検出していない（オフの）場合には（ステップＳ１４：ＮＯ）、コンピューター５１は、その処理をステップＳ２１に移行する。
【００５７】
ステップＳ２１において、コンピューター５１は、搬送センサー４７がオンからオフに切り替わったか否かを判断する。すなわち、搬送センサー４７は、原稿Ｄの先端が搬送センサー４７まで搬送されるとオフからオンに切り替わる。そして、原稿Ｄが搬送センサー４７を通過するまでの間は（ステップＳ２１：ＮＯ）、コンピューター５１は、その処理をステップＳ１２に移行する。また、原稿Ｄの後端が搬送センサー４７を通過して搬送センサー４７がオンからオフに切り替わると（ステップＳ２１：ＹＥＳ）、ステップＳ２２において、コンピューター５１は、原稿単位無効モードが設定されているか否かを判断する。
【００５８】
そして、原稿単位無効モードが設定されている場合には（ステップＳ２２：ＹＥＳ）、ステップＳ２３において、モード制御部６４は、原稿単位無効モードを有効モードに変更する。また、設定されているモードが原稿単位無効モードでない場合には（ステップＳ２２：ＮＯ）、モードを維持したままステップＳ２４において、コンピューター５１は、セットセンサー４５がオフであるか否かを判断する。
【００５９】
すなわち、原稿サポート１３に原稿Ｄがセットされてセットセンサー４５がオンである場合には（ステップＳ２４：ＮＯ）、コンピューター５１は、ステップＳ２５において、Ｎに１を足し、ステップＳ１２に移行して次の原稿Ｄの読取動作を行う。
【００６０】
また、原稿サポート１３にセットされた原稿Ｄが全て給送され、セットセンサー４５がオフの場合には（ステップＳ２４：ＹＥＳ）、コンピューター５１は、ステップＳ２６において中断フラグがオンであるか否かを判断する。
【００６１】
中断フラグがオンの場合には（ステップＳ２６：ＹＥＳ）、ステップＳ２７において、コンピューター５１は、第２データを出力する。すなわち、出力制御部６６は、中断された後の読取動作で読み取った画像データを、ステップＳ１７において出力した第１データと１つのファイルに生成されうる連続した第２データとして出力する。そして、ステップＳ２８において、コンピューター５１は、中断フラグをオフにする。
【００６２】
また、ステップＳ２６において、中断フラグがオフの場合には（ステップＳ２６：ＮＯ）、コンピューター５１は、ステップＳ２９において、画像データを出力する。すなわち、出力制御部６６は、ジョブが中断されていないため、１枚目の原稿Ｄから最後に読み取った原稿Ｄまでの、全ての原稿Ｄの画像データを出力する。
【００６３】
ステップＳ３０において、コンピューター５１は、ジョブ単位無効モードが設定されているか否かを判断する。そして、ジョブ単位無効モードが設定されていた場合には（ステップＳ３０：ＹＥＳ）、ステップＳ３１において、モード制御部６４は、ジョブ単位無効モードを有効モードに変更し、処理を終了する。また、ジョブ単位無効モードが設定されていない場合には（ステップＳ３０：ＮＯ）、モード制御部６４は設定を維持し、処理を終了する。
【００６４】
次に、封筒や折った紙など、重送だと誤検出されやすい原稿Ｄを含んだ読取対象の読取動作を行う場合の作用について説明する。なお、原稿サポート１３には例えば３枚の原稿Ｄがセットされているものとし、１つのジョブは、原稿サポート１３にセットされた全て（３枚）の原稿Ｄの読取動作を行うものとする。
【００６５】
さて、画像読取装置１１の電源がＯＮされ、スタートスイッチ２２が押されると、コンピューター５１は、重送検出を有効にした有効モードで原稿Ｄを給送及び搬送して読取部４０に原稿Ｄを読み取らせる。
【００６６】
そして、例えば２枚目の原稿Ｄが封筒だった場合、ジョブが重送センサー４６の重送検出によって中断される。すなわち、コンピューター５１は、１枚目の原稿Ｄの読取動作が完了した後、２枚目の原稿Ｄの搬送を停止し、中断される前の読取動作で１枚目の原稿Ｄを読み取った第１データを出力する。さらに、コンピューター５１は、２枚目以降の原稿Ｄを原稿サポート１３に再セットするように促すメッセージと、重送検出のモードの設定を促すメッセージとを画像読取装置１１やホスト装置５３の表示部（図示略）へ表示、もしくは音声などにより報知する。
【００６７】
なお、ジョブが中断されてから再開されるまでの間は、セットセンサー４５と搬送センサー４７の検出結果に関わらず指示部２０の指示に基づいて設定された無効モードが維持される。そして、中断されたジョブは、指示部２０の開始指示により再開される。
【００６８】
さて、無効モードが設定され、スタートスイッチ２２が押されると、コンピューター５１は、指示部２０の指示に基づいて重送検出を無効にした無効モードでジョブを再開し、再セットされた２枚目以降の原稿Ｄの読取動作を行う。すなわち、中断されたジョブは、指示部２０の開始指示により開始される。すると、中断前には重送だと誤検出された原稿Ｄは、重送検出が無効とされた状態で搬送されて読み取られる。
【００６９】
そして、指示部２０により原稿単位無効モードが指示されて設定されている場合には、搬送センサー４７の検出信号に基づいて２枚目の原稿Ｄの後端が重送センサー４６を通過したことを検出すると、重送センサー４６による重送検出を有効にする。すなわち、搬送センサー４７は、重送センサー４６よりも搬送方向Ｙの下流側に配置されているため、原稿Ｄが搬送センサー４７を通過したとき、原稿Ｄはすでに重送センサー４６を通過している。そのため、コンピューター５１は、搬送センサー４７がオンからオフに切り替わると有効モードに切り替える。また、ジョブ単位無効モードや無効維持モードが設定されている場合には、設定されているモードを維持する。
【００７０】
また、指示部２０によりジョブ単位無効モードが指示されて設定されている場合には、モード制御部６４は、最後（例えば３枚目）の原稿Ｄが搬送センサー４７を通過してジョブが終了すると重送センサー４６による重送検出を有効にする。そして、出力制御部６６は、再開された後の読取動作で読み取った２枚目と３枚目の原稿Ｄの第２データを、第１データと１つのファイルに生成されうる連続したデータとして出力する。また、無効維持モードが設定されている場合には、電源がオフされるまで無効モードを維持する。
【００７１】
一方、画像読取装置１１から出力された第１データを取得したホスト装置５３は、第２データが出力されるまで待機する。そして、画像読取装置１１から第２データが出力されると、ホスト装置５３は、生成部６０が第１データと第２データとを合わせて１つのファイルを生成する。
【００７２】
上記実施形態によれば、以下のような効果を得ることができる。
（１）出力制御部６６は、第１データと第２データを連続したデータとして出力する。そのため、重送の検出によってジョブが途中で中断された場合でも、中断される前に読み取った第１データと再開された後に読み取った第２データを１つのファイルにまとめることができる。したがって、読み取り対象の原稿Ｄの中に重送だと誤検出されやすい原稿Ｄが含まれる場合でも、読み取ったデータが複数のファイルに分離されることを抑制できる。
【００７３】
（２）例えば重送だと誤検出されやすい原稿Ｄの読み取りを行う場合、原稿単位無効モードを指示することにより、この原稿Ｄが重送センサー４６を通過するまでの間、重送センサー４６による重送検出を無効にすることができる。そして、原稿Ｄが通過した後は重送検出を有効にできる。
【００７４】
（３）ジョブ単位無効モードでは、ジョブが終了するまで重送検出を無効にする。そのため、例えば１つのジョブで読み取る原稿Ｄの中に、重送だと誤検出されやすい原稿Ｄが複数含まれる場合でも、誤検出に伴うジョブの中断を低減することができる。そして、ジョブが終了した後は重送検出を有効にできる。
【００７５】
（４）ジョブが中断されてから再開するまでの間に原稿Ｄをセットし直す場合には、セットセンサー４５と搬送センサー４７とが原稿Ｄのセットを検出する。しかし、ジョブが中断されてから再開されるまでの間は、セットセンサー４５と搬送センサー４７の検出結果に関わらず無効モードが維持されるため、原稿Ｄをセットし直した場合でも、無効モードでジョブを再開できる。
【００７６】
（５）無効維持モードでは、指示部２０が無効指示を出すと、電源が遮断されるまで重送検出を無効にする。そのため、例えば重送だと誤検出されやすい原稿Ｄを含む複数のジョブを行う場合でも、誤検出に伴うジョブの中断を低減できる。
【００７７】
（６）ジョブの開始を指示部２０に指示させることにより、中断されたジョブを任意のタイミングで再開させることができる。
なお、上記実施形態は以下のように変更してもよい。
【００７８】
・上記実施形態において、セットセンサー４５と搬送センサー４７は、例えば光電センサーなどの非接触式のセンサーとしてもよい。
・上記実施形態において、重送センサー４６は、原稿Ｄの厚みに応じて重送を検出するセンサーとしてもよい。
【００７９】
・上記実施形態において、出力制御部６６は、ジョブが終了した後で第１データと第２データを出力してもよい。
・上記実施形態において、生成部６０は、画像読取装置１１が備えていてもよい。すなわち、例えば出力制御部６６は、画像読取装置１１が備える生成部に第１データと第２データを出力し、出力部５６は、生成部によって生成されたファイルをホスト装置５３に出力してもよい。
【００８０】
・上記実施形態において、ジョブが中断された場合に、原稿Ｄを原稿サポート１３に再セットせず、重送だと誤検出されて搬送が停止された原稿Ｄをそのまま搬送して読取動作を再開してもよい。
【００８１】
・上記実施形態において、先の原稿Ｄの読み取り動作が終了する前に、次の原稿Ｄの給送を開始してもよい。
・上記実施形態において、無効モードのうち、選択されたモードごとに報知部２７のパターンを変化させてもよい。例えば、報知部２７は、原稿単位無効モード、ジョブ単位無効モード、無効維持モードと個別に対応する色のＬＥＤを点灯させてもよい。
【００８２】
・上記実施形態において、指示部２０は、ジョブの開始指示を出すスタートスイッチ２２を備えなくてもよい。例えば、コンピューター５１は、ホスト装置５３から入力された開始指示に基づいてジョブを開始してもよい。また、コンピューター５１は、重送検出無効スイッチ２５により無効モードが指示されると、中断されていたジョブを再開してもよい。
【００８３】
・上記実施形態において、無効維持モードが設定された場合には、電源スイッチ２１の指示に基づいて電源がオフ（電力の供給が遮断）される際に、無効モードを有効モードに切り替えてから画像読取装置１１の電源をオフしてもよい。また、画像読取装置１１の電源がオンされる際に無効モードを有効モードに切り替えてもよい。さらに、電源がオフされ、さらにオンされた後も無効維持モードを継続してもよい。
【００８４】
・上記実施形態において、無効モードと有効モードは、指示部２０からの指示により切り替えてもよい。例えば、コンピューター５１は、重送検出無効スイッチ２５が１回押されると無効モードを設定し、重送検出無効スイッチ２５がもう１回押されると有効モードを設定してもよい。すなわち、無効モードには、原稿単位無効モード、ジョブ単位無効モード、無効維持モードが含まれなくてもよい。また、無効モードは、原稿単位無効モード、ジョブ単位無効モード、無効維持モードの少なくとも１つのモードを含んでいてもよい。
【００８５】
・上記実施形態において、原稿サポート１３とセットセンサー４５を備えない構成としてもよい。例えば、ユーザーが原稿Ｄを給送口１２Ａに差し込んでもよい。また、例えば１つのジョブで読み取らせる原稿Ｄの枚数を指示部２０やホスト装置５３から入力し、指定された枚数の原稿Ｄの読取動作が行われた場合に、ジョブを終了してもよい。また、指示部２０から（例えば、ユーザーがストップスイッチ２３などを押すなどして）ジョブの終了を指示してもよい。
【００８６】
・上記実施形態において、ジョブが中断されている際に、セットセンサー４５と搬送センサー４７の検出結果に応じて重送検出のモードを変更してもよい。例えば、セットセンサー４５と搬送センサー４７の検出結果に基づいて、重送だと検出された原稿Ｄが原稿サポート１３に再セットされたか否かを判断することができる。そこで、例えば重送センサー４６が重送を検出してジョブが中断した後、原稿サポート１３に原稿Ｄが再セットされないままジョブが再開された場合には、有効モードを無効モード（例えば原稿単位無効モード）に変更して読取動作を行ってもよい。
【００８７】
・上記実施形態において、搬送センサー４７を備えない構成としてもよい。例えば、原稿Ｄが給送されてから搬送された量や、読み取った画像データから原稿の後端が重送センサー４６を通過したことを検出してもよい。
【００８８】
・上記実施形態において、指示部２０は、タッチパネルとしてもよい。また、重送検出無効スイッチ２５は、プッシュスイッチに限らず、レバースイッチ、スライドスイッチ、モードスイッチなどとしてもよい。
【００８９】
・原稿は、単票紙、封筒、葉書、名刺、領収書、クレジットカード、保険証など、搬送部３１により給送及び搬送できるものであれば任意に選択できる。
・画像読取装置は、シートフィード型に限定されず、搬送部の一例として自動原稿給送機能（オートドキュメントフィーダー）を備えたフラットベッド型の画像読取装置に適用してもよい。
【符号の説明】
【００９０】
Ｄ…原稿、Ｘ…幅方向、Ｙ…搬送方向、ＰＲ…プログラム、１１…画像読取装置、１２…本体、１２Ａ…給送口、１２Ｂ…排出口、１２Ｃ…前面部、１３…原稿サポート（セット部の一例）、１３Ａ…載置面、１４…第１サポート部、１５…第２サポート部、１６…補助サポート部、１７…エッジガイド、１８…本体部、１８Ａ…排出トレイ、１８Ｂ…搬送板、１８Ｃ…リブ、１９…カバー部、１９Ａ…操作部、２０…指示部、２１…電源スイッチ、２２…スタートスイッチ、２３…ストップスイッチ、２４…読取モード選択スイッチ、２５…重送検出無効スイッチ、２６…無線通信用スイッチ、２７…報知部、３０…画像読取処理機構、３１…搬送部、３２…搬送経路、３２Ａ…給送ガイド、３３，３４…給送ローラー対、３３Ａ−３６Ａ…駆動ローラー、３３Ｂ−３６Ｂ…従動ローラー、３５，３６…搬送ローラー対、３７…搬送モーター、３８…分離機構、３９…搬送面部、４０…読取部、４０Ａ…第１読取部、４０Ｂ…第２読取部、４１…光源、４１Ａ…第１光源、４１Ｂ…第２光源、４２…イメージセンサー、４２Ａ…第１イメージセンサー、４２Ｂ…第２イメージセンサー、４３…色基準板、４５…セットセンサー（セット検出部の一例）、４６…重送センサー（重送検出部の一例）、４６Ａ…発信器、４６Ｂ…受信器、４７…搬送センサー（搬送検出部の一例）、５０…コントローラー、５１…コンピューター、５２…記憶部、５３…ホスト装置、５５…入力部、５６…出力部、５７…タイミングジェネレーター、５８…ＡＦＥ、６０…生成部、６２…主制御部、６３…搬送制御部、６４…モード制御部、６４…ＴＧ、６５…読取制御部、６６…出力制御部。
【図１】
0006572735.tif 000002
【図２】
0006572735.tif 000003
【図３】
0006572735.tif 000004
【図４】
0006572735.tif 000005
【図５】
0006572735.tif 000006
【図６】
0006572735.tif 000007